(57)【要約】【課題】シート状の電子部品がキャリアテープやカバーテープに付着して、実装時に供給エラーを発生させない電子部品用包装体を供給する。【解決手段】中央部に一定の間隔をもってシート状の電子部品８を収納する収納凹部９を一定間隔毎に連続的に設けたキャリアテープ７と、このキャリアテープ７の収納凹部９を塞ぐようにキャリアテープ７上に結合されるカバーテープ１１からなり、このカバーテープ１１の少なくとも収納凹部に対応する位置に凹凸部１０を形成したカバーテープ１１により構成する。【選択図】図１
2005035636.tif 000002
【特許請求の範囲】
【請求項１】
中央部に一定の間隔をもってシート状の電子部品を収納する収納凹部を設けると共にその収納凹部の少なくとも片側に搬送用の送り孔を一定間隔毎に設けたキャリアテープと、このキャリアテープの収納凹部を塞ぐようにキャリアテープ上に結合されるカバーテープとからなり、このカバーテープの少なくとも収納凹部に対応する面に複数の凹凸部を設けた電子部品用包装体。
【請求項２】
凹凸部をカバーテープの長手方向に連続的に形成したカバーテープを用いた請求項１に記載の電子部品用包装体。
【請求項３】
凹凸部をキャリアテープの収納凹部に対応した部分にのみ設けたカバーテープを用いた請求項１に記載の電子部品用包装体。
【請求項４】
凹凸部をキャリアテープの収納凹部の開口面より底面側に位置するようにしたカバーテープを用いた請求項３に記載の電子部品用包装体。
【請求項５】
収納凹部の内底面に凹凸部を設けたキャリアテープを用いた請求項１に記載の電子部品用包装体。
【請求項６】
凹凸部の収納凹側に突出する先端面を球面状または尖鋭状とした請求項１または５に記載の電子部品用包装体。
【発明の詳細な説明】
【技術分野】
【０００１】
本発明は、シート状の電子部品を確実に包装し、かつ確実に取出せるようにした電子部品用包装体に関するものである。
【背景技術】
【０００２】
近年電子機器の薄形化，小形化が志向される中で、これらの電子部品に用いられる電子部品としても薄形化，小形化の要求が強まっている。
【０００３】
このような要求を満たすために、コンデンサやインダクタンス部品あるいはフィルタなどの複合部品として、シート状に形成した電子部品が開発され利用されるようになってきている。たとえば、半導体部品の直下にシート状のコンデンサを配置接続して半導体部品の応答速度を速くするようなものとして利用されようとしている。
【０００４】
上記のようなシート状の電子部品も、他の電子部品と同様に収納凹部を連続的に一定間隔毎に形成したキャリアテープと、このキャリアテープの収納凹部の開口を塞ぐようにキャリアテープ上に結合されるカバーテープからなる電子部品用包装体に包装されてユーザに供給される。
【０００５】
このような包装形態を利用したときに、上記のようなシート状の電子部品においては、ユーザ側でシート状の電子部品を取出して実装しようとする際に、電子部品用包装体のキャリアテープからカバーテープを剥離するときにシート状の電子部品が搬送中の振動等によって発生した静電気でカバーテープに吸着されたままとなり、シート状の電子部品が所定通り収納されていたにもかかわらず、供給エラーを引き起こすおそれがある。
【０００６】
従来における電子部品用包装体として、搬送中の振動等によって発生した静電気で包装した電子部品がカバーテープに吸着されるのを防止するために、図１２に示すようにカバーテープ１のキャリアテープ２の収納凹部３に対応する位置に透孔４を形成し、この透孔４の内縁部５を収納凹部３内に突出させて電子部品６とカバーテープ１との接触面積を少なくして、静電気で電子部品６がカバーテープ１に吸着されにくくしたものがある（例えば特許文献１参照。）。
【特許文献１】特開平４−３１２１５号公報
【発明の開示】
【発明が解決しようとする課題】
【０００７】
しかしながら、上記構成においては、カバーテープ１に透孔４を設けているため、場合によってはこの透孔４から異物が入ることになり、この異物が液体状のものの場合、カバーテープ1やキャリアテープ２の収納凹部３に電子部品６が付着してしまい、カバーテープ１の剥離時に電子部品6が持ち出されたり、キャリアテープ２の収納凹部３に存在していても吸引取出しができない事態が発生し、信頼性の高い電子部品用包装体とはいえないものであった。
【０００８】
本発明は上記従来の問題点を除去し、シート状の電子部品であってもカバーテープの剥離時や吸着ヘッドによる取出し時に供給エラーを起こさない電子部品用包装体を提供するものである。
【課題を解決するための手段】
【０００９】
本発明は、中央部に一定の間隔をもってシート状の電子部品を収納する収納凹部を設けるとともにその収納凹部の少なくとも片側に搬送用の送り孔を一定間隔毎に設けたキャリアテープと、このキャリアテープの収納凹部を塞ぐようにキャリアテープ上に結合されるカバーテープとからなり、このカバーテープの少なくとも収納凹部に対応する面に複数の凹凸部を設けた電子部品用包装体としたものである。
【発明の効果】
【００１０】
本発明の電子部品用包装体は、少なくともキャリアテープの収納凹部に対応するカバーテープの面に複数凹凸部を設けたことにより、この収納凹部に収納されるシート状の電子部品とカバーテープとの接触面積を少なくすることができ、搬送中の振動などによって発生する静電気でシート状の電子部品がカバーテープに吸着されて、カバーテープの剥離時にキャリアテープの収納凹部から持ち出されるといったことがなくなるとともに、カバーテープの凹凸部は透孔を有していないため、キャリアテープの収納凹部への異物の侵入の危険がなくなり、特に液体状のものが侵入した場合にシート状の電子部品がカバーテープやキャリアテープの収納凹部に付着するようなことが防止でき、ユーザ側の実装時に確実にシート状の電子部品を供給することができるという効果を有するものである。
【発明を実施するための最良の形態】
【００１１】
以下、本発明の最良の実施の形態について図面を用いて説明する。
【００１２】
まず、図１、図２を用いて本発明の最良の実施の形態における電子部品用包装体の代表例について説明する。図１は本発明における電子部品用包装体の要部の断面図、図２は同要部の拡大断面図である。
【００１３】
図１、図２において、７はポリカーボネイトなどの樹脂材で構成された帯状のキャリアテープであり、このキャリアテープ７には一定の間隔をもってシート状の電子部品８を収納する収納凹部９が連続して形成されている。また図示はしていないが、この収納凹部の両側には包装時や包装体からの電子部品８の取出し時に必要とされる搬送用の送り孔が一定の間隔をもって連続的に設けられている。なお、送り孔はキャリアテープ７の搬送が可能であれば収納凹部９の片側だけに設けても良い。
【００１４】
また、このキャリアテープ７には、キャリアテープ７との貼り合わせ面に複数の凹凸部１０を長手方向に連続的に形成したポリエチレンテレフタレートなどの樹脂からなるカバーテープ１１が結合されている。このカバーテープ１１のキャリアテープ７への結合は、キャリアテープ７の収納凹部９の両側部に加熱融着によって行うのがよい。他の方法として粘着材を用いて結合することも考えられるが、粘着材を用いた場合は、過剰な粘着材が加圧時に収納凹部９側にはみ出してシート状の電子部品８をカバーテープ１１やキャリアテープ７に接着させてしまい、取出しがスムーズに行えない事態が発生すると考えられ、本発明の実施の形態においては加熱融着を用いた。
【００１５】
さらに、上記シート状の電子部品８としては、ポリイミドフィルムの基体にアルミニウムなどの電極を設け、この電極の上にＳｉＯ2などの誘電体層を設け、この誘電体層上にアルミニウムなどの電極を設け、この両電極に接続された端子電極を露出するように外装を形成したシート状のコンデンサを用いた。これは一例であり、誘電体にセラミックを用いたセラミックコンデンサや弁作用金属箔や燒結体を陽極とし誘電体に固体電解質を用いた固体電解コンデンサ、さらには磁性体シート状に導電パターンを形成したインダクタンス部品、あるいは絶縁体や誘電体シート上にコンデンサ、抵抗、インダクタンスを形成した複合部品などがシート状の電子部品として存在し、これらの包装に上記包装体は利用できる。
【００１６】
上記構成とすることにより、シート状の電子部品８はカバーテープ１１の凹凸部１０により、シート状の電子部品８やカバーテープ１１に静電気が帯電していても接触面積が少なくなるため吸着されることはなく、シート状の電子部品８を自動実装機により取出す際にカバーテープ１１を剥離してもカバーテープ１１にシート状の電子部品８が吸着されて持ち出されてしまうといったことが阻止できることになる。また、カバーテープ１１の貼付面に凹凸部１０を設けるだけのため液体などの異物が侵入することもなく、この液体によってシート状の電子部品８がカバーテープ１１やキャリアテープ７の収納凹部９に付着して自動実装機の吸着ヘッドによる吸着ミスを誘発することも無い。
【００１７】
さらに、カバーテープ１１には凹凸部１０が長手方向に連続して形成されており、カバーテープ１１の両側部をキャリアテープ７に熱融着するだけで、キャリアテープ７の収納凹部９間の平坦部に凹凸部１０が圧接することになって、薄いシート状の電子部品８が熱融着されていない収納凹部９間に入り込んで取出し時に所定の収納凹部９にシート状電子部品８が存在しないといったことも防止できることになる。
【００１８】
次に図３、図４を用いて他の例の電子部品用包装体について説明する。図３は他の例の電子部品用包装体の要部の断面図、図４はその要部の拡大断面図である。
【００１９】
図３、図４において、基本的には図１、図２で説明した構成と同じであり、異なっている点は、カバーテープ１１のキャリアテープ７への貼付面に形成する凹凸部１０にある。すなわち図３、図４においては、カバーテープ１１に設ける凹凸部１０はカバーテープ１１の長手方向に連続して設けるのではなく、キャリアテープ７の収納凹部９に対応する部分だけに凹凸部１０を設け、この凹凸部１０の凸部が収納凹部９内に位置するようにしたものである。
【００２０】
この構成による効果は、カバーテープ１１の貼付面の全面に凹凸部１０を形成した場合、カバーテープ１１の引っ張りなどによる強度に問題が生じるような場合に有効であり、キャリアテープ７の収納凹部９に対応する部分だけに凹凸部１０を形成すれば、カバーテープ１１の本来の強度を大きく損なうことがなく、実装前のカバーテープ１１の剥離時にカバーテープ１１が破断するといったことが防止でき、カバーテープ１１の強度を高めるために厚くしたりする必要はない。
【００２１】
ただし、この構成においては、シート状の電子部品８の包装時にカバーテープ１１の凹凸部１０がキャリアテープ７の収納凹部９にくるように位置合わせすることが重要となる。この位置合わせがきっちりと行われれば、シート状電子部品８をカバーテープ１１やキャリアテープ７の収納凹部９に吸着させない包装形態をとることができる。
【００２２】
続いて図５、図６に示す他の例の電子部品用包装体について説明する。図５は電子部品用包装体の要部の断面図、図６はその要部の拡大断面図である。
【００２３】
この図５、図６に示すものは、図３、図４において説明した電子部品用包装体の改良されたものであり、カバーテープ１１のキャリアテープ７の収納凹部９に対応する部分にのみ凹凸部１０を形成したものにおいて、この凹凸部１０をキャリアテープ７の収納凹部９内に入り込んだ形とするため、この凹凸部１０を形成した部分を収納凹部９側に突き出させた構成としたものである。
【００２４】
この収納凹部９側に凹凸部１０を突き出させるのには、凹凸部１０を形成した部分を全体的に収納凹部９側に押し出した押し出し部１２を設けることで実現でき、この押し出し部１２はあらかじめカバーテープ１１に形成しておき、キャリアテープ７とカバーテープ１１の結合時の位置合せに活用する場合と、キャリアテープ７とカバーテープ１１の結合時に熱融着ツールに押し出し部１２を形成する突部を設けたもので加工してもよい。
【００２５】
この構成においても、シート状の電子部品８をカバーテープ１１の剥離時にカバーテープ１１に付着させたり、包装後収納凹部９間に入り込むことを防止でき、キャリアテープ７の収納凹部９に実装時に確実に存在させることができる。
【００２６】
次に図７、図８を用いてさらに他の例の電子部品用包装体について説明する。図７は本例における電子部品用包装体を構成するキャリアテープの要部の断面図、図８は同要部の拡大断面図である。
【００２７】
図７、図８において特徴とする点は、キャリアテープ７の収納凹部９内の内底面にも複数の凹凸部１３を形成した点にある。これはシート状の電子部品８がカバーテープ１１だけでなく、キャリアテープ７の収納凹部９の内底面に静電気によって付着し、実装時に取出せなくなるのを防止するためである。
【００２８】
もちろん、この構成のキャリアテープ７には図１〜図６に示したカバーテープ１１を用いて包装する。
【００２９】
この構成とすることによってさらに確実に自動実装時のシート状電子部品８の供給エラーを無くすことができる。
【００３０】
また、カバーテープ１１に形成する凹凸部１０としては、図９〜図１１に示すようにカバーフィルム１１の厚さ方向全体に加工を施して凸部が尖鋭状、球面状としたものや、多少の平面部を有する曲面状のものが考えられる。このような凸部の形状にすることで、シート状電子部品８とカバーテープ１１の接触面積をより小さくし、吸着防止効果をさらに高めることができる。この凸部の形状は包装するシート状の電子部品８の種類や重量などによって任意に選択することができる。
【産業上の利用可能性】
【００３１】
本発明にかかる電子部品用包装体は、シート状で軽い電子部品を包装しても自動実装時に確実に供給でき、種々な電子部品の包装に活用できるものである。
【図面の簡単な説明】
【００３２】
【図１】本発明の一実施形態における電子部品用包装体の要部の断面図
【図２】同要部の拡大断面図
【図３】同他の例の電子部品用包装体の要部の断面図
【図４】同要部の拡大断面図
【図５】同他の例の電子部品用包装体の要部の断面図
【図６】同要部の拡大断面図
【図７】同さらに他の例の電子部品用包装体のキャリアテープの要部の断面図
【図８】同要部の拡大断面図
【図９】同カバーテープに設ける凹凸部の形状例を示す要部の拡大断面図
【図１０】同カバーテープに設ける凹凸部の形状例を示す要部の拡大断面図
【図１１】同カバーテープに設ける凹凸部の形状例を示す要部の拡大断面図
【図１２】従来における電子部品用包装体を示す要部の拡大断面図
【符号の説明】
【００３３】
７  キャリアテープ
８  シート状の電子部品
９  収納凹部
１０  凹凸部
１１  カバーテープ
１２  押し出し部
１３  凹凸部
【図１】
2005035636.tif 000003
【図２】
2005035636.tif 000004
【図３】
2005035636.tif 000005
【図４】
2005035636.tif 000006
【図５】
2005035636.tif 000007
【図６】
2005035636.tif 000008
【図７】
2005035636.tif 000009
【図８】
2005035636.tif 000010
【図９】
2005035636.tif 000011
【図１０】
2005035636.tif 000012
【図１１】
2005035636.tif 000013
【図１２】
2005035636.tif 000014